(57)【要約】【課題】手動による画像表示装置の表示品質調整を容易に作業効率良く実施できる表示品質調整作業方法とその作業装置を提供する。【解決手段】調整作業対象の液晶表示モジュールＭが載置される作業板３には、図示されていない窓が形成されており、この作業板３には液晶表示モジュールＭが裏返しにしてその表示画面を窓に対面させて載置され、作業板の下方に配置された鏡５に表示画像を写す。作業者は、鏡５に写された表示画像の像を目視しつつ作業者に対して表側に現れた裏面のコントラスト調整用トリマーＴをドライバＤにより適度に回動操作して表示コントラストを調整する。【選択図】    図２
2005024865.tif 000002
【特許請求の範囲】
【請求項１】
画像表示装置の表示品質を調整する作業方法であって、
前記画像表示装置の表示画像を鏡に写し、
前記鏡に写された表示画像を目視しつつ表示品質を調整することを特徴とする表示品質調整作業方法。
【請求項２】
前記画像表示装置は、画像表示面とは反対側の裏面に表示品質調整ボリュームが配設されていることを特徴とする請求項１の表示品質調整作業方法。
【請求項３】
画像表示装置の表示品質を調整する作業を行う作業装置であって、
前記画像表示装置が表面に載置され、この表面側から裏面側へ貫通する開口が形成された作業台と、
前記作業台の裏面側に配置された鏡とを有し、
前記作業台には前記画像表示装置がその表示画面を前記開口に対面させて載置され、前記鏡はその写した像を作業者が前記作業台の表面側から視認できる配置で設置されていることを特徴とする表示品質調整作業装置。
【請求項４】
前記鏡には、画像表示装置の表示品質の判断基準となる指標が付されていることを特徴とする請求項３に記載の表示品質調整作業装置。
【発明の詳細な説明】
【０００１】
【発明の属する技術分野】
この発明は、画像形成装置の例えばコントラスト等の表示品質を調整する作業を行う際に用いる作業装置に関する。
【０００２】
【従来の技術】
通常、液晶表示装置等の画像表示装置では、表示画像の輝度やコントラスト等の各表示品質毎にそれぞれ調整用のボリュームが設けられている。これら表示品質調整用ボリュームは、不用意な接触等による誤操作を避けるため、或いは、表示画面以外の額縁部を縮小するため等の理由から、表示画面がある表面以外の側面や裏面に埋め込み式に設けられている場合が多い。従って、それら調整用ボリュームを操作する場合は、ドライバー等の工具を用いるようになっている。（例えば、特許文献１参照）。
【０００３】
【特許文献１】
特開２００２−１４８６１８号（第２頁、図５〜図７）
【０００４】
【発明が解決しようとする課題】
液晶表示装置の多機種少量生産工程において表示品質調整を行う場合は、個々の液晶表示装置を専用の作業台に載置し、表面の表示画像を目視しつつ裏面に設けられた例えばコントラスト調整用ボリュームをドライバーを用い適量づつ廻して行うことが多い。
【０００５】
上述の調整作業では、裏面の調整ボリュームにドライバーの先端を嵌合させた状態を保持しつつ調整ボリュームを適量づつ廻す必要があるが、作業者は表面の表示画像を目視しているために裏面の調整ボリュームは視認できない。このため、作業中にドライバーの先端が調整ボリュームの溝から外れ易く、その都度嵌合し直さねばならない。従って、この手動による表示品質調整作業は、極めて煩わしく且つ作業効率の悪いものとなる。
【０００６】
この発明は、手動による画像表示装置の表示品質調整を容易に作業効率良く実施できる表示品質調整作業方法とその作業装置を提供することを課題とする。
【課題を解決するための手段】
【０００７】
本発明の表示品質調整作業方法は、画像表示装置の表示品質を調整する作業方法であって、前記画像表示装置の表示画像を鏡に写し、前記鏡に写された表示画像を目視しつつ表示品質を調整することを特徴とするものである。
【０００８】
この表示品質調整作業方法によれば、鏡を適切に配置することにより作業者が所望する位置で表示画像を視認することができるから、表示画像を目視しつつ行う手動による表示品質調整作業が極めて容易となり、その作業効率が大幅に向上する。
【０００９】
本発明の表示品質調整作業方法は、請求項２に記載のように、画像表示面とは反対側の裏面に表示品質調整ボリュームが配設されている画像表示装置に好適に適用され、その場合、表示品質調整ボリュームが画像表示装置に裏面に設けられていても、その表示品質調整ボリュームと表示画像の双方を目視しつつ表示品質調整ボリュームを操作することができ、表示品質調整ボリュームが裏面に設けられた画像表示装置の手動による表示品質調整作業を極めて効率良く正確に実施することができる。
【００１０】
一方、本発明の表示品質調整作業装置は、画像表示装置の表示品質を調整する作業を行う作業装置であって、前記画像表示装置が表面に載置され、この表面側から裏面側へ貫通する開口が形成された作業台と、前記作業台の裏面側に配置された鏡とを有し、前記作業台には前記画像表示装置がその表示画面を前記開口に対面させて載置され、前記鏡はその写した像を作業者が前記作業台の表面側から視認できる配置で設置されていることを特徴とするものである。
【００１１】
この表示品質調整作業装置によれば、開口が設けられた作業台の裏面側に鏡を適正配置した簡単な構造により、作業者は画像表示装置を作業台表面上に裏返して載置した状態でその表示画像を作業台の表面側で視認することができるから、裏面に表示品質調整ボリュームが配設されている画像表示装置の手動による表示品質調整作業を表示画像を目視しつつ容易に実施することができ、設備コストをアップさせずにその表示品質調整作業効率を大幅に向上させることができる。
【００１２】
本発明の表示品質調整作業装置においては、請求項４に記載のように、前記鏡に画像表示装置の表示品質の判断基準となる指標が付されていることが好ましく、これにより、表示品質の判断を的確且つ迅速に行うことができ、表示品質調整作業効率をより一層向上させることが可能となる。
【００１３】
【発明の実施の形態】
この発明の一実施形態としての液晶表示モジュール用表示品質調整作業装置について、図１及び図２に基づき説明する。なお、図１は本実施形態の表示品質調整作業装置を示す斜視図で、図２はその表示品質調整作業装置により調整作業を行う状態を示す斜視図である。また、本実施形態の作業装置は、液晶表示モジュールの表示品質のうちの表示コントラストを調整するための作業装置である。
【００１４】
図１において、矩形をなす基板１の４コーナー部に支柱２がそれぞれ立設され、作業板３がそれら４本の支柱２により支持された状態で設置されている。作業板３は、表示品質調整作業が実施される液晶表示モジュールが載置される作業台となるもので、鉄板等の磁性体で形成されている。
【００１５】
作業板３の作業者が位置する側を前側とすると、作業板３の後側略半分の中央部には、作業板３の表面側から裏面側に貫通させて、窓３ａが形成されている。そして、作業板３における窓３ａの前側には、矩形に切り欠いた切欠き部３ｂが形成されている。
【００１６】
窓３ａの周辺部には、作業対象物の液晶表示モジュールを保持するためのストッパ４が複数個配置されている。本実施形態では、窓３ａの両側部と前部の各周辺部３箇所に、それぞれ、ストッパ４が配置されている。これらストッパ４は、それぞれ、全体或いは下部の所要領域がマグネットで形成されており、作業板３上の任意の位置に磁気吸着させることができる。
【００１７】
作業板３と基板１との間には、鏡５が配設されている。鏡５は、基板１に対して角度θだけ傾斜させて設置されている。この場合、鏡５は、図示しない機構によりその支持角度θが０°から約６０°の角度範囲において自在に調節可能に支持されており、図２に示すように、作業者が切欠き部３ｂを通して鏡５表面を見易い角度θにセットされる。因みに、鏡５は角度θが０°つまり基板１表面に平行に支持されていてもよく、この場合は例えば作業者が長身で眼Ｅが高い位置にあるとき等に好適である。なお、鏡５としては、表面が平滑な透明ガラスの裏面に水銀等の反射膜を蒸着した通常のガラスミラーが好適であるが、これに限らず、表面が平滑な透明樹脂板の裏面にアルミニウムや銀等を蒸着してなる樹脂ミラー、或いはアルミニウム等の金属板の表面を鏡面化したもの等も好適に用いることができる。
【００１８】
そして、本実施形態の鏡５には、調整すべき表示品質つまり表示コントラストの許容限度見本６が、その１コーナー部に貼着されている。この表示コントラスト許容限度見本６は、図３に示すように、白黒１１階調のパターンＰ１、Ｐ２が縦と横にそれぞれ配列されてなり、これと同じパターンのテストパターン表示において白黒１１階調がこの限度見本以上に明瞭に認識されることが液晶表示モジュールの表示コントラストとして要求される最低の表示品質となる。
【００１９】
なお、上述のように構成された表示品質調整作業装置には、調整作業対象の液晶表示モジュールに稼動用電力を供給するための電源コンセント７と、表示品質を判断するためのテストパターン用信号を入力する信号入力コネクタ８が、作業板３の適所に付設されている。信号入力コネクタ８は、テスト信号発生器９に接続されている。
【００２０】
次に、上述の表示品質調整作業装置により実施される液晶表示モジュールの表示コントラスト調整作業について説明する。
【００２１】
図２に示されるように、まず、調整作業対象の液晶表示モジュールＭを、作業板３上に、表示画面（不図示）が窓３ａ（図１参照）に対面するように裏返して載置する。このとき、表示画面の全体或いは必要なエリアが窓３ａ内に確実に収まるように位置合せを行いつつ載置する。この状態においては、液晶表示モジュールＭの裏面に設けられているコントラスト調整用トリマーＴとテストパターンの信号入力用端子部（不図示）が作業者に対面する表側に現れている。
【００２２】
液晶表示モジュールＭの作業板３への載置が終了したら、電源コードＣを電源コンセント７に接続して通電を開始すると共に、信号入力コネクタ８を液晶表示モジュールＭの裏面のテスト専用端子部に導通接続して表示画面に図３に示したパターンと同じテストパターンを表示させる。
【００２３】
上述の状態下において、作業者が鏡５上に写し出されたテストパターンを眼Ｅで見て白黒の１１階調が縦と横にそれぞれ明確に認識されるか否かを判断する。白黒１１階調が明確に認識できるか否か曖昧な場合は、隅に貼着されている許容限度見本６を目視し、これと表示テストパターンとを比較する。許容限度見本６よりも階調の識別が困難で白黒１１階調が明確に認識できない場合は、ドライバＤを用いてコントラスト調整用トリマーＴを僅かづつ回動させ、表示テストパターンにおいて白黒１１階調が明確に認識される程度に表示コントラストを上げる。
【００２４】
以上のように、本発明に係わる表示品質調整作業装置によれば、液晶表示モジュールＭを裏返して裏面に在る表示コントラスト調整用トリマーＴを作業者に対面する表側に位置させると共に表示テストパターンもこれを鏡５に写すことにより表側から視認することができる。従って、作業者は、眼の前で確実にトリマーＴにドライバＤの先端を嵌合させてこの嵌合状態を保持しつつ、鏡５に写されたテストパターン像を目視できるから、テストパターンを目視しつつ液晶表示モジュールＭの裏面に設けられたトリマーＴを微妙に回動させるという極めて困難な表示コントラストの調整作業を容易且つ的確に行うことができる。
【００２５】
また、本実施形態の表示品質調整作業装置によれば、表示コントラストの許容限度見本６を鏡５の表面に貼着してあるから、テストパターンを鏡に写してこの像と許容限度見本６とを容易に交互に見比べることができる。従って、白黒１１階調の識別のように判断に手間取る基準に基づく表示コントラストの調整作業も、迅速且つより的確に実施することが可能となる。
【００２６】
次に、上記実施形態の変形例を、図４に基づき説明する。
本例の表示品質調整作業装置は、作業板１０上に載置された液晶表示モジュールを保持するストッパを可動式にして、液晶表示モジュールの表示画面を対面させる窓１０ａの大きさを可変に構成し、種々の機種に容易に対応できるようにしたものである。
【００２７】
作業板１０には、その後側半分の略全エリアにわたり、矩形の貫通穴１０ａが形成されている。この貫通穴１０ａの前後の一対の壁面１０ｂ（前壁面は不図示）には、貫通穴１０ａ内に向けて突き出した段差１０ｃが、壁面１０ｂの高さ中央部においてその長手方向に沿って平行に延在形成されている。
【００２８】
ストッパは、液晶表示モジュールの両側端面に当接させる一対の側面ストッパ１１ａ、１１ａと、その前端面に当接させる前面ストッパ１１ｂからなる。  各側面ストッパ１１ａは、摺動ベース板１１ａ１上に当接板１１ａ２が固設されてなる。摺動ベース板１１ａ１は、その長さを貫通穴１０ａの段差１０ｃより上部の幅Ｗより若干短く、厚さを貫通穴１０ａの段差１０ｃより上部の深さＤ１と同一に、それぞれ寸法設定されて形成されている。当接板１１ａ２は、その幅ｗ２が摺動ベース板１１ａ１の幅ｗ１よりも適長短い寸法に形成され、その一方の側端面を摺動ベース板１１ａ１の一方の側端面に揃えた配置で固設されている。なお、当接板１１ａ２の長さは摺動ベース板１１ａ１の長さよりも短い範囲内の長さに、厚さは作業上取り扱いに支障の無い程度の厚さに、それぞれ適切に寸法設定すればよい。
【００２９】
上述のように構成された一対の側面ストッパ１１ａ、１１ａは、各々の当接板１１ａ２が互いに遠ざかる配置で、それぞれ貫通穴１０ａ内に落とし込み式に嵌入されている。これにより、一対の側面ストッパ１１ａ、１１ａは、その両端部を一対の段差１０ｃにより貫通穴１０ａの長手方向に摺動自在に支持された状態となっている。一方、前面ストッパ１１ｂは、貫通穴１０ａの長さＬと略同じ長さに形成され、貫通穴１０ａの前縁部に沿わせて固設されている。
【００３０】
上述のように、３個のストッパ１１ａ、１１ａ、１１ｂを設置することにより、裏返しに載置された液晶表示モジュールの表示画面に対面させる窓１０ｅは、一対の摺動ベース板１１ａ１、１１ａ１の対向する各端面と貫通穴１０ａの前後一対の壁面１０ｂ（厳密には段差１０ｃより下部の壁面）とで区画形成される。従って、この窓１０ｅは作業者に対して左右方向の長さが可変となる。その他の構成は、図１に示す実施形態と同じである。なお、一対の側面ストッパ１１ａ、１１ａは、周知の同期連動機構で連結し、常に液晶表示モジュールを貫通穴１０ａの左右方向中央で挟持できるように構成してもよい。
【００３１】
本例の表示品質調整作業装置によって液晶表示モジュールの表示コントラストを調整する場合の作業手順は、液晶表示モジュールを作業板１０に載置する手順が異なるだけで、それ以降は同じである。
【００３２】
まず、一対の側面ストッパ１１ａ、１１ａを、調整すべき液晶表示モジュールを作業板１０の左右方向中央部でその両側端部を支持できる間隔に位置させる。すなわち、各々の摺動ベース板１１ａ１の各当接板１１ａ２より内側に突き出させてある部分の表面で、載置される液晶表示モジュールの両側部を支持できるように、一対の側面ストッパ１１ａ、１１ａを大まかに位置させる。
【００３３】
次に、調整すべき液晶表示モジュールを裏返して一対の当接板１１ａ２、１１ａ２間に置き、液晶表示モジュールの前端面を前面ストッパ１１ｂの内側（窓１０ｅ側）端面に当接させる。このとき、液晶表示モジュールの左右方向センタ位置を貫通穴１０ａの前縁部に印されている貫通穴左右方向中央印（不図示）に合せる。
【００３４】
次いで、両当接板１１ａ２、１１ａ２がそれぞれ対応する液晶表示モジュールの側端面に当接するまで各側面ストッパ１１ａ、１１ａを摺動させ、図示しないロック機構でそれらの摺動をロックする。
【００３５】
ここまでで、液晶表示モジュールの調整作業装置へのセット作業は終了し、以後は、前述の実施形態の場合と同様の手順で表示コントラストを調整すればよい。
【００３６】
以上のように、本変形例の表示品質調整作業装置は、表示画面に対面させる窓１０ｅの左右（横）方向長さを自在に可変としたから、多くの機種の液晶表示モジュールの表示品質調整作業に広く適用でき、その結果、多機種少量生産方式の液晶表示モジュール等の生産工程において、全ての機種にわたる機種変更作業を含めた表示品質調整作業の総作業効率を格段に向上させることができる。
【００３７】
なお、本発明は、上記実施形態に限定されるものではなく、本発明の技術的範囲において種々の変形が可能であることは勿論である。
【００３８】
例えば、本発明の表示品質調整作業方法は、表示品質の良否判断が表示画像を鏡に写した方が容易な場合は、調整作業対象の画像表示装置を作業者に対して裏返さずにそのまま正対させた状態で調整作業を行う場合にも、好適に利用できる。
【００３９】
また、本発明の表示品質調整作業装置においては、鏡は１枚に限らず、２枚以上の鏡を組み合わせて用いてもよく、その場合、表示画像の像を所望の位置で目視することができ、調整作業効率がより一層向上する。
【００４０】
加えて、本発明は、液晶表示装置の表示コントラストの調整作業に限らず、プラズマディスプレイや有機ＥＬディスプレイ等の液晶表示装置以外の画像表示装置における輝度や色純度等の表示コントラスト以外の表示品質の調整作業に広く適用できる。
【００４１】
【発明の効果】
この発明の表示品質調整作業方法によれば、鏡を適切に配置することにより作業者が所望する位置で表示画像を視認することができるから、表示画像を目視しつつ調整ボリューム等を回動操作して行う手動による表示品質調整作業が極めて容易となり、その作業効率が大幅に向上する。
【００４２】
本表示品質調整作業方法を、請求項２に記載のように、画像表示面とは反対側の裏面に表示品質調整ボリュームが配設されている画像表示装置に適用すれば、その表示品質調整ボリュームと表示画像の双方を目視しつつ表示品質調整ボリュームを操作することができ、表示品質調整ボリュームが裏面に設けられた画像表示装置の手動による表示品質調整作業を極めて効率良く正確に実施することができる。
【００４３】
一方、この発明の表示品質調整作業装置によれば、開口が設けられた作業台の裏面側に鏡を適正配置した簡単な構造により、作業者は画像表示装置を作業台表面上に裏返して載置した状態でその表示画像を作業台の表面側で視認することができるから、裏面に表示品質調整ボリュームが配設されている画像表示装置の手動による表示品質調整作業を表示画像を目視しつつ容易に実施することができ、設備コストをアップさせずにその表示品質調整作業効率を大幅に向上させることができる。
【００４４】
この表示品質調整作業装置においては、請求項４に記載のように、鏡に画像表示装置の表示品質の判断基準となる指標を付すことにより、表示品質の判断を的確且つ迅速に行うことができ、表示品質調整作業効率をより一層向上させることが可能となる。
【図面の簡単な説明】
【図１】この発明の一実施形態としての液晶表示モジュール用コントラスト調整作業装置を示す斜視図である。
【図２】上記調整作業装置によるコントラスト調整作業を示す斜視図である。
【図３】上記コントラスト調整作業において使用する良否判断基準の限度見本を示す説明図である。
【図４】上記実施形態の変形例を示す斜視図である。
【符号の説明】
１…基板
２…支柱
３、１０…作業板
４、１１…ストッパ
５…鏡
６…許容限度見本
Ｍ…液晶表示モジュール
Ｔ…調整トリマ
Ｄ…ドライバ
【図１】
2005024865.tif 000003
【図２】
2005024865.tif 000004
【図３】
2005024865.tif 000005
【図４】
2005024865.tif 000006